(57)【要約】  【課題】  グループ通信によるデータ伝送において、移動局は誤り訂正制御を行うことができ、統制局または移動局は受信側の移動局のグループ全体の受信状態を確認する。  【解決手段】  統制局１または移動局２１より基地局２を介して複数の移動局３にグループ配信でデータ伝送を行う無線通信システムにおいて、データ伝送を受けた複数の移動局のうち統制局または移動局により選択された代表の移動局４は、エラーチェックを行い所定値以上の場合に前記基地局を介して統制局または移動局にチェック結果を返信し、統制局または移動局は基地局を介してグループ配信対象の複数の移動局の全てに対して誤り訂正信号の伝送またはデータ伝送の再送を行うことを特徴とする。【選択図】  図１
2005268997.tif 000002
【特許請求の範囲】
【請求項１】
統制局または移動局より基地局を介して複数の移動局にグループ配信でデータ伝送を行う無線通信システムにおいて、データ伝送を受けた前記複数の移動局のうち前記統制局または移動局により選択された代表の移動局は、エラーチェックを行い所定値以上の場合に前記基地局を介して前記統制局または移動局にチェック結果を返信し、前記統制局または移動局は前記基地局を介してグループ配信対象の前記複数の移動局の全てに対して誤り訂正信号の伝送またはデータ伝送の再送を行うことを特徴とする無線通信システムのデータ伝送方法。
【請求項２】
統制局または移動局より基地局を介して複数の移動局にグループ配信でデータ伝送を行う無線通信システムにおいて、前記統制局または移動局は前記基地局を介して前記複数の移動局にエラーチェックを含む位置登録データ伝送を行い、各移動局から返信された最新のエラーチェック結果より、当該グループの平均値を算出し、算出した平均値に基いて、平均値に最も近い値の移動局、または平均値より所定の悪い値の移動局を代表の移動局に選択して、前記複数の移動局にグループ配信でデータ伝送を行い、前記代表の移動局は、エラーチェックを行い所定値以上の場合に前記基地局を介して前記統制局または移動局にチェック結果を返信し、前記統制局または移動局は前記基地局を介してグループ配信対象の前記複数の移動局の全てに対して誤り訂正信号の伝送またはデータ伝送の再送を行うことを特徴とする無線通信システムのデータ伝送方法。
【発明の詳細な説明】
【技術分野】
【０００１】
本発明は、無線通信システムにおいて、災害情報等の情報をグループ配信するときのデータ伝送方法に関するものである。
【背景技術】
【０００２】
従来の技術では、統制局または移動局が受信側の移動局と個別通信にてデータ伝送を行う場合、移動局と誤り訂正制御を行い、確実な伝送をすることができる。
【０００３】
送信側の無線通信装置と受信側の無線装置間でデータ伝送を行う場合に誤り訂正制御を行う技術は、例えば特許文献１に記載されている。
【０００４】
【特許文献１】特開２００２−３５３９４５号公報
【発明の開示】
【発明が解決しようとする課題】
【０００５】
しかしながら従来技術では、グループ配信にてデータ伝送を行う場合、無線回線の劣化によりデータが欠落しても、グループ配信対象の複数の移動局の各々は、誤り訂正処理を行うことができず、送信側である統制局または移動局はデータ伝送が失敗したことを認識できない。
【０００６】
本発明の目的は、グループ配信によるデータ伝送において、移動局は誤り訂正制御を行うことができ、統制局または移動局は受信側の移動局のグループ全体の受信状態を確認することが可能な無線通信システムのデータ伝送方法を提供することにある。
【課題を解決するための手段】
【０００７】
本発明は、統制局または移動局より基地局を介して複数の移動局にグループ配信でデータ伝送を行う無線通信システムにおいて、データ伝送を受けた前記複数の移動局のうち前記統制局または移動局により選択された代表の移動局は、エラーチェックを行い所定値以上の場合に前記基地局を介して前記統制局または移動局にチェック結果を返信し、前記統制局または移動局は前記基地局を介してグループ配信対象の前記複数の移動局の全てに対して誤り訂正信号の伝送またはデータ伝送の再送を行うことを特徴とする。
【０００８】
また本発明は、統制局または移動局より基地局を介して複数の移動局にグループ配信でデータ伝送を行う無線通信システムにおいて、前記統制局または移動局は前記基地局を介して前記複数の移動局にエラーチェックを含む位置登録データ伝送を行い、各移動局から返信された最新のエラーチェック結果より、当該グループの平均値を算出し、算出した平均値に基いて、平均値に最も近い値の移動局、または平均値より所定の悪い値の移動局を代表の移動局に選択して、前記複数の移動局にグループ配信でデータ伝送を行い、前記代表の移動局は、エラーチェックを行い所定値以上の場合に前記基地局を介して前記統制局または移動局にチェック結果を返信し、前記統制局または移動局は前記基地局を介してグループ配信対象の前記複数の移動局の全てに対して誤り訂正信号の伝送またはデータ伝送の再送を行うことを特徴とする。
【発明の効果】
【０００９】
本発明によれば、グループ配信によるデータ伝送において、移動局は誤り訂正制御を行うことができ、統制局または移動局は受信側の移動局のグループ全体の受信状態を確認することが可能な無線通信システムのデータ伝送方法を得ることができる。
【発明を実施するための最良の形態】
【００１０】
本発明に係る実施の形態について、以下、図を用いて説明する。
【００１１】
図２は、本発明に係る無線通信システムの構成を示す図である。図２において、１は統制局、２１は（送信側の）移動局、２は基地局、３はグループ配信対象の複数の移動局（すなわち、受信側の移動局）、４はそのうちの誤りチェック用移動局、５は他の移動局である。
【００１２】
統制局１または移動局２１が基地局２を介してグループ配信対象の複数の移動局３に対してデータ伝送６を行うとき、統制局１または移動局２１は基地局２を介して、グループ配信対象の複数の移動局３のうちの例えば誤りチェック用移動局４を選択する。
【００１３】
図４は、配信する伝送データフォーマット４０の例を示す図である。図４のように、配信する伝送データフォーマット４０は、グループＮｏ４１１および代表Ｎｏ４１２からなるグループ番号４１と画像（データ）量４２と画像データ４３とで構成される。なお、画像データ４３については、画像データでなくてもよい。
【００１４】
上記代表Ｎｏ４１２に代表の誤りチェック用移動局を指定して、グループ配信対象の複数の移動局３に対して伝送データを行うことで、予め指定して決めた例えば誤りチェック用移動局４を選択することができる。
【００１５】
図１は、本発明に係る無線通信システムによる第１のデータ伝送方法の手順を示す図である。
【００１６】
統制局１が基地局２を介してグループ配信対象の複数の移動局３に対してデータ伝送６を行い、複数の移動局３は各々エラーチェックを行う。複数の移動局３のうち上記の伝送データフォーマット４０の代表Ｎｏ４１２により選択された誤りチェック用移動局４は、伝送されたデータのＢＥＲ（ビット・エラー・レート）値を算出し、予め定めた一定値以上の場合に、基地局２を介して統制局１にＢＥＲ値７を返送する。
【００１７】
統制局１は返送されたＢＥＲ値により、グループ配信対象の複数の移動局３の全てに対して、誤り訂正信号８を伝送するかまたはデータ伝送の再送９を行う。データ伝送の再送時には、例えば前回の伝送データの伝送方式が１６ＱＡＭとした場合、再送する伝送データの伝送方式をＱＰＳＫとすることにより、伝送速度は遅くなるがＢＥＲ値を少なくすることができる。
【００１８】
なお、図１，図４の説明においては、送信側として統制局１がグループ配信を行う場合の例を説明したが、送信側として移動局２１がグループ配信を行う場合も同様の動作となる。
【００１９】
図３は、本発明に係る無線通信システムによる第２のデータ伝送方法の手順を示す図である。
【００２０】
本例の場合、グループ配信対象の複数の移動局３のうちの誤りチェック用移動局４は必ずしも移動局４に固定されず、他の移動局５の場合もあるので、全ての移動局が５で、各々の移動局に５ａ，５ｂ，５ｃを付けた。
【００２１】
統制局１が基地局２を介してグループ配信対象の複数の移動局３に対してデータ伝送６を行う前に、統制局１は基地局２を介してグループ配信対象の複数の移動局３に対して位置登録伝送１０を行う。複数の移動局３の各々は位置登録の返送時に、伝送されたデータから算出したＢＥＲ（ビット・エラー・レート）値を付加して返送する。
【００２２】
統制局１は、複数の移動局３から返送されたＢＥＲ値の最新の値を、メモリに記憶し、グループ配信対象の複数の移動局３のうちの代表の移動局を選択する。
【００２３】
図５は、統制局１のメモリに記憶された、代表の移動局を選択するためのデータ例を示す図である。代表の移動局を選択するためのデータ５０は、グループＮｏ５１と移動局番号５２とＢＥＲ値５３からなる。
【００２４】
統制局１は、メモリに記憶されたＢＥＲ値５３から、ＣＰＵでグループの平均値を算出する。そして算出した平均値より代表の移動局を選択する。例えばＢＥＲ値のグループの平均値を代表の移動局として選択する場合は、図５において、ＢＥＲ値のグループの平均値が１０−５なので、代表の移動局として移動局５ｂを選択する。またＢＥＲ値のグループの最も悪い値を代表の移動局として選択する場合は、図５において、ＢＥＲ値のグループの最も悪い値が１０−７なので、代表の移動局として移動局５ｃを選択する。
【００２５】
統制局１は、代表の移動局を選択した後、図４の伝送データフォーマット４０の代表Ｎｏ４１２に選択した代表の移動局の移動局番号を挿入して、グループ配信対象の複数の移動局３の各々に伝送データを伝送する。
【００２６】
伝送データフォーマット４０の代表Ｎｏ４１２で選択された代表の移動局は、伝送されたデータのＢＥＲ（ビット・エラー・レート）値を算出し、予め定めた一定値以上の場合に、基地局２を介して統制局１にＢＥＲ値７を返信する。
【００２７】
統制局１は返信されたＢＥＲ値により、グループ配信対象の複数の移動局３の全てに対して、誤り訂正信号８を伝送するかまたはデータ伝送の再送９を行う。
【００２８】
なお、図３，図５，図４の説明においては、送信側として統制局１がグループ配信を行う場合の例を説明したが、送信側として移動局２１がグループ配信を行う場合も同様の動作となることができる。その場合、移動局２１が図５に示すようなメモリを保持しているか、若しくは、基地局２を介して統制局１よりグループ配信先の代表となる移動局（すなわち誤りチェック用移動局）を把握しておけが良い。
【００２９】
本実施の形態によれば、グループ配信によるデータ伝送において、移動局は誤り訂正制御を行うことができ、送信側である統制局または移動局は受信側である移動局グループ全体の受信状態を確認することができる。
【図面の簡単な説明】
【００３０】
【図１】本発明に係る無線通信システムによる第１のデータ伝送方法の手順を示す図である。
【図２】本発明に係る無線通信システムの構成を示す図である。
【図３】本発明に係る無線通信システムによる第２のデータ伝送方法の手順を示す図である。
【図４】配信する伝送データフォーマットの例を示す図である。
【図５】統制局のメモリに記憶された、代表の移動局を選択するためのデータ例を示す図である。
【符号の説明】
【００３１】
１…統制局、２…基地局、３…グループ配信対象の複数の移動局，４…誤りチェック用移動局、５，５ａ，５ｂ，５ｃ…移動局、６…データ伝送、７…ＢＥＲ値、８…誤り訂正信号、９…データ伝送の再送、１０…位置登録伝送、１１…ＢＥＲ値、２１…移動局（送信側）。
【図１】
2005268997.tif 000003
【図２】
2005268997.tif 000004
【図３】
2005268997.tif 000005
【図４】
2005268997.tif 000006
【図５】
2005268997.tif 000007